(57)【要約】【課題】展示物のサイズに応じて、プロジェクタの位置を変更することができるプロジェクタ用スタンドを提供することである。【解決手段】プロジェクタ１０は、内箱２に収納されるとともに、内箱２に固定される。外箱３は、内箱２を垂直方向にスライド可能に収納する。内箱２の背面板２２には、複数の固定孔２２ｃが形成される。外箱３の背面板３２には、複数の調整孔３２ｂが形成される。固定孔２２ｃの位置を調整孔３２ｂのいずれか１つの位置と合わせ、調整孔３２ｂ及び固定孔２２ｃに蝶ボルト４を挿入することにより、内箱２が外箱３に対して固定される。位置合わせの対象となる調整孔３２ｂを変更することにより、プロジェクタ１０の高さを変更することができる。ミラー５は、プロジェクタ１０と一体的に内箱２に固定され、プロジェクタから上方向に投射される光の方向を変更する。【選択図】図３
2014149436.tif 000002
【特許請求の範囲】
【請求項１】
光の投射方向が上向きとなるようにプロジェクタを固定する固定機構と、
前記固定機構により固定されたプロジェクタの垂直方向の位置を決定する位置決め機構と、
前記固定機構と一体的に固定され、前記プロジェクタから投射される光の方向を変更するミラーとを備える、プロジェクタ用スタンド。
【請求項２】
請求項１に記載のプロジェクタ用スタンドであって、さらに、
前記ミラーの角度を調節する調節機構を備える、プロジェクタ用スタンド。
【請求項３】
請求項１又は２に記載のプロジェクタ用スタンドであって、
前記固定機構は、前記プロジェクタを内部に収納する内箱であり、
前記位置決め機構は、前記内箱を垂直方向にスライド可能に収納する外箱である、プロジェクタ用スタンド。
【発明の詳細な説明】
【技術分野】
【０００１】
本発明は、プロジェクタ用スタンドに関し、さらに詳しくは、展示物に関する映像を投影するプロジェクタに用いられるプロジェクタ用スタンドに関する。
【背景技術】
【０００２】
商品の販売促進のために、ＰＯＰ（Point Of Purchase advertising）広告が盛んに用いられている。ＰＯＰ広告の一例として、陳列された商品（展示物）の傍に液晶ディスプレイを設置し、展示物に関する映像を液晶ディスプレイに表示させる方法がある。これにより、展示物をアピールしたり、展示物の使用方法を説明したりすることができる。
【０００３】
特許文献１には、映像を扉に投影するプロジェクタを備えるショーケースが開示されている。特許文献１において、スクリーンシートが、扉を構成するガラスに貼り付けられ、プロジェクタが棚の下面に取り付けられる。プロジェクタが斜め下方向に映像を投影することで、映像がスクリーンシートに映し出される。
【０００４】
プロジェクタは、前後方向に移動可能なように棚の下面に取り付けられる。プロジェクタと棚に陳列された商品との位置関係によっては、商品が、プロジェクタから投影された映像を遮るおそれがある。このため、陳列される展示物のサイズが制限されるという問題が生じる。
【０００５】
特許文献２には、プロジェクタからの映像を棚板の前面に表示させる陳列棚が開示されている。特許文献２において、スクリーンが、棚板の各々の前面に配置される。プロジェクタが、映像を上方向に投影するように、陳列棚下方の配置空間に収納される。プロジェクタからの投射光が反射鏡によって水平方向に反射されることにより、スクリーンに映像が映し出される。
【０００６】
特許文献２に係る陳列棚では、映像が棚板の前面に設けられたスクリーンに表示されるため、映像が商品によって遮られることがない。しかし、棚板の間隔が、プロジェクタからスクリーンまでの光学系によって決定されるため、棚板の間隔を自由に調整することができない。つまり、陳列することができる展示物のサイズが制限されるという問題は、依然として解決されないままである。また、特許文献２に係る陳列棚では、映像の表示位置が棚板の前面に固定され、映像の表示位置を変更することができない。
【先行技術文献】
【特許文献】
【０００７】
【特許文献１】特開２０１２−３２６１３号公報
【特許文献２】特開２００７−２８９６３６号公報
【特許文献３】特開２００６−３４１４号公報
【特許文献４】特開２０１０−４６２５９号公報
【特許文献５】特開２００８−２８４１６８号公報
【発明の概要】
【発明が解決しようとする課題】
【０００８】
本発明の目的は、展示物のサイズに応じて、プロジェクタの位置を変更することができるプロジェクタ用スタンドを提供することである。
【課題を解決するための手段及び発明の効果】
【０００９】
本発明のプロジェクタ用スタンドは、固定機構と、位置決め機構と、ミラーとを備える。固定機構は、光の投射方向が上向きとなるようにプロジェクタを固定する。位置決め機構は、固定機構により固定されたプロジェクタの垂直方向の位置を決定する。ミラーは、固定機構と一体的に固定され、プロジェクタから投射される光の方向を変更する。
【００１０】
本発明によれば、プロジェクタ用スタンドに固定されたプロジェクタは、固定機構に固定されたミラーとともに垂直方向に移動する。したがって、展示物のサイズに応じて、プロジェクタの垂直方向の位置を変更することができる。プロジェクタを移動させた場合であっても、プロジェクタとミラーとの位置関係を再調整しなくてもよい。
【００１１】
好ましくは、本発明のプロジェクタ用スタンドは、さらに、調節機構を備える。調節機構は、ミラーの角度を調節する。
【００１２】
本発明によれば、ミラーの角度を調節することにより、プロジェクタから投射される光の反射光の方向を変更することができる。このため、プロジェクタから投射される光によって映し出される映像の位置を容易に変更することができる。
【００１３】
好ましくは、固定機構は、プロジェクタを内部に収納する内箱である。位置決め機構は、内箱を垂直方向にスライド可能に収納する外箱である。
【００１４】
本発明によれば、プロジェクタが内箱に収納され、内箱が外箱に収納されることにより、プロジェクタ及び配線を目立たないように隠すことができる。
【図面の簡単な説明】
【００１５】
【図１】本発明の実施の形態によるプロジェクタ用スタンドの前方斜視図である。
【図２】図１に示すプロジェクタ用スタンドの後方斜視図である。
【図３】図１に示すプロジェクタ用スタンドの構造を示す分解斜視図である。
【図４】図１に示すミラーを内箱に取り付ける方法を示す図である。
【図５】図１に示すプロジェクタ用スタンドの使用方法の一例を示す図である。
【図６】図１に示すプロジェクタ用スタンドの使用方法の他の例を示す図である。
【図７】図１に示すプロジェクタ用スタンドにおける高さの変化を示す図である。
【発明を実施するための形態】
【００１６】
以下、図面を参照し、本発明の実施の形態を詳しく説明する。図中同一又は相当部分には同一符号を付してその説明は繰り返さない。
【００１７】
［プロジェクタ用スタンド１の外観］
図１は、本実施の形態に係るプロジェクタ用スタンド１の前方斜視図である。図２は、プロジェクタ用スタンド１の後方斜視図である。図１及び図２を参照して、プロジェクタ用スタンド１を構成する外箱３の背面板３２が位置する側を後側と仮定し、外箱３の正面板３１が位置する側を前側と仮定する。
【００１８】
プロジェクタ用スタンド１は、例えば、商品等の展示品とともにショーケース内に載置される。プロジェクタ用スタンド１は、光が上方向に投射されるようにプロジェクタを固定し、投射される光をミラー５により前方向に反射させる。これにより、展示品に関する映像が、ショーケースの前面に表示される。プロジェクタ用スタンド１の使用方法の詳細については、後述する。
【００１９】
プロジェクタ用スタンド１は、内箱２と、外箱３と、複数の蝶ボルト４と、ミラー５とを備える。
【００２０】
内箱２は、プロジェクタを収納する中空の箱であり、直方体の形状である。内箱２は、プロジェクタによる光の投射方向が上向きとなるようにプロジェクタを固定する。外箱３は、内箱２を垂直方向にスライド可能に収納可能な中空の箱である。
【００２１】
蝶ボルト４の各々は、内箱２を外箱３に固定するために用いられる。内箱２の固定については、後述する。
【００２２】
ミラー５は、プロジェクタから投射される光の方向を変更する。ミラー５は、後述するフリーストップヒンジにより、内箱２に一体的に固定される。
【００２３】
［プロジェクタ用スタンド１の構造］
図３は、プロジェクタ用スタンド１の分解斜視図である。まず、内箱２について説明する。図３を参照して、内箱２は、正面板２１と、背面板２２と、右側板２３と、左側板２４と、上蓋２５とを備える。
【００２４】
プロジェクタ１０は、正面板２１と、背面板２２と、右側板２３と、左側板２４とにより囲まれる空間に収納される。これにより、プロジェクタ１０を前後左右から隠すことができる。
【００２５】
正面板２１と、右側板２３と、左側板２４とは、取付板２０を構成する。取付板２０は、１枚の金属板を折り曲げることにより形成される。プロジェクタ１０は、レンズ１１が上方向を向くように取付板２０に固定される。つまり、内箱２は、光の投射方向が上向きとなるようにプロジェクタ１０を固定する固定機構として機能する。プロジェクタ１０の固定方法は、特に限定されない。
【００２６】
右側板２３及び左側板２４には、換気孔２３ａ，２４ａが形成されている。換気孔２３ａ，２４ａは、プロジェクタ１０から発生する熱を内箱２の中から外へ逃がすために用いられる。内箱２に収納されたプロジェクタ１０が目立たないように、換気口２３ａ，２４ａを通気性のあるメッシュ素材で覆うことが望ましい。
【００２７】
背面板２２には、前側に延びる側壁２２ａ，２２ｂが形成される。側壁２２ａが右側板２３に接合され、側壁２２ｂが左側板２４に接合される。また、背面板２２には、４つの固定孔２２ｃが形成される。４つの固定孔２２ｃのうち２つは、図３において、側壁２２ｂの影となる位置に形成されている。固定孔２２ｃは、内箱２を外箱３に固定するために用いられる。固定孔２２ｃの詳細は、後述する。
【００２８】
上蓋２５は、内箱２の上側開口を覆うことにより、プロジェクタ１０を上側から隠す。上蓋２５には、プロジェクタ１０のレンズ１１に対応する位置に円形の開口２５ａが形成される。
【００２９】
次に、外箱３について説明する。外箱３は、正面板３１と、背面板３２と、右側板３３と、左側板３４とを備える。正面板３１と、右側板３３と、左側板３４とは、１枚の金属板を折り曲げることにより形成される。内箱２が、正面板３１と、背面板３２と、右側板３３と、左側板３４とにより囲まれる空間にスライド可能に収納される。図２を参照して、背面板３２の下方には、プロジェクタ１０の電源ケーブル等を引き出すための孔３２ａが設けられる。
【００３０】
背面板３２には、複数の調整孔３２ｂが形成される。調整孔３２ｂは、背面板３２の左右両側に上下方向に配列されるようにして形成され、内箱２を外箱３に固定するために用いられる。調整孔３２ｂの詳細は、後述する。
【００３１】
左側板３４には、換気孔３４ａが形成されている。換気孔３４ａは、換気孔２３ａ，２４ａと同様の機能を有する。また、換気孔３４ａは、メッシュ素材覆われることが望ましい。右側板３３にも換気孔が形成されてもよい。
【００３２】
内箱２を外箱３に固定する方法を説明する。ユーザは、内箱２を外箱３に対して垂直方向にスライドさせて、固定孔２２ｃの位置を調整孔３２ｂの位置に合わせる。図２には示していないが、背面板２２の内側の面には、複数のナットが、固定孔２２ｃの位置に合わせて固定されている。ナットの取り付けには、接着剤等を用いることができるが、これに限定されるものではない。ユーザは、蝶ボルト４を、位置合わせされた調整孔３２ｂ、固定孔２２ｃ及びナットに挿入する。背面板２２，３２が、蝶ボルト４及びナットにより挟み付けられるため、内箱２が外箱３に固定される。本実施の形態では、ねじ溝が固定孔２２ｃ，調整孔３２ｂにされないが、これらの孔の少なくとも１つにねじ溝を形成してもよい。この場合、ナットを背面板２２に固定しなくてもよい。
【００３３】
次に、ミラー５の取り付けについて、図４を参照して説明する。図４は、ミラー５を内箱２に固定する方法を説明する図である。
【００３４】
ミラー５は、フリーストップヒンジ６により背面板２２に取り付けられる。フリーストップヒンジ６は、任意の角度で静止可能な蝶番である。ユーザは、所定値以上の負荷をフリーストップヒンジ６にかけることにより、フリーストップヒンジ６の開閉角度を調節することができる。フリーストップヒンジ６の取り付けには、ボルト６１及びナット６２が用いられる。このように、ミラー５は、角度を任意の角度に固定した場合において、プロジェクタ１０からの相対的な高さが変化しないように内箱２に固定される。
【００３５】
［プロジェクタ用スタンド１の基本的な使用方法］
まず、内箱２を外箱３に固定する。図５は、プロジェクタ用スタンド１が載置されたショーケース５０の側面図である。ショーケース５０の前後をプロジェクタ用スタンド１と同様に仮定する。つまり、前面ガラス５１が位置する側を前側と仮定する。
【００３６】
図５を参照して、ショーケース５０の上面及び前後左右の面は、ガラス板により構成される。なお、ショーケース５０の上面及び前後左右の面は、ガラス板でなくてもよく、アクリル板などの透明な板であればよい。プロジェクタ用スタンド１は、ショーケース５０の後方に載置される。展示品５３が、プロジェクタ用スタンド１とショーケース５０の前面ガラス５１との間に載置される。
【００３７】
前面ガラス５１及び上面ガラス５２には、半透明型のスクリーンシート５４が貼り付けられている。スクリーンシート５４の素材は、例えば、ポリエチレンテレフタレートである。図５において、スクリーンシート５４の厚さを誇張して表現している。
【００３８】
プロジェクタ用スタンド１に収納されたプロジェクタ１０は、上方向に光を投射する。プロジェクタ１０から投射された光（以下、「投射光」と呼ぶ。）は、ミラー５により反射され、水平方向に進む。反射光が前面ガラス５１に貼り付けられたスクリーンシート５４に到達することにより、映像が、ショーケース５０の前面に映し出される。
【００３９】
一般的なプロジェクタの形状は、幅が高さよりも大きい平たい形状である。従って、ショーケース５０内におけるプロジェクタ１０の専有面積は、光が水平方向に投射されるようにプロジェクタ１０を載置した場合よりも、図５に示すように、プロジェクタ用スタンド１を用いてプロジェクタ１０を載置した場合の方が小さい。プロジェクタ用スタンド１を用いることにより、ショーケース５０内において、展示物５３を載置する空間を広く確保することができる。
【００４０】
プロジェクタ１０は、一般的に、パーソナルコンピュータなどと接続して使用される。パーソナルコンピュータとの接続配線、プロジェクタ１０の電源ケーブル等のケーブルは、外箱３の背面板３２に設けられた孔３２ａ（図２参照）からプロジェクタ用スタンド１の外へ引き出される。ケーブルが、外箱３により隠され、プロジェクタ１０が、上述のように、内箱２により隠される。プロジェクタ１０及びケーブルを、ショーケース５０の前方に位置する来訪者から見えなくすることができるため、ショーケース５０内の展示品５３及び前面ガラス５１に映し出される映像に、来訪者の注意を向けることができる。
【００４１】
また、ミラー５は、上向きの投射光を水平方向に反射する。反射された投射光が展示物５３の上を通過するため、展示物５３が反射光を遮ることを防ぐことができる。
【００４２】
［ミラー５の角度の調整］
ミラー５の角度を調整することにより、ショーケース５０に映し出される映像の位置を変更することができる。図５を参照して、ミラー５の角度θについて定義する。角度θは、矢印Ａの方向を基準としたときのミラー５の反射面の角度である。矢印Ａは、垂直方向上向きのベクトルである。矢印Ｂは、ミラー５の反射面と平行なベクトルである。
【００４３】
上述のように、ミラー５は、フリーストップヒンジ６により背面板２２に取り付けられる。ユーザは、ミラー５に所定値以上の負荷をかけることにより、ミラー５の角度を変更することができる。
【００４４】
角度θを調整することにより、前面ガラス５１に映し出される映像の上下方向の位置を容易に変更することができる。具体的には、角度θを、図５に示す角度θよりも小さくした場合、ミラー５に対する投射光の入射角が小さくなるため、反射光が水平方向よりも上向きに進む。この結果、前面ガラス５１に映し出される映像を上に移動させることができる。逆に、角度θを大きくした場合、入射角が大きくなるため、反射光が水平方向よりも下向きに進む。前面ガラス５１に映し出される映像を下に移動させることができる。
【００４５】
また、角度θを調整することにより、ショーケース５０の上面ガラス５２に映像を映し出すことができる。図６は、プロジェクタ用スタンド１が載置されたショーケース５０の側面図である。図６を参照して、ミラー５の向きを、角度θが小さくなるように調整することにより、ミラー５による反射光を上面ガラス５２に到達させることができる。つまり、簡易な操作で、映像を上面ガラス５２に映し出すことができる。
【００４６】
このように、プロジェクタ用スタンド１をショーケース５０内に載置した場合、ミラー５の角度θを調整することにより、ショーケース５０に映し出される映像の位置を容易に変更することができる。なお、映像の水平方向の位置を移動させる場合、ショーケース５０内でプロジェクタ用スタンド１を移動させればよい。
【００４７】
［内箱２の高さの調整］
プロジェクタ用スタンド１は、内箱２の高さを調整することができる。これにより、展示物５３の高さに応じて、プロジェクタ１０の位置を柔軟に変更することができる。
【００４８】
例えば、図５を参照して、展示物５３が、破線で示す大きさである場合、反射光が展示物５３により遮られ、ショーケース５０の前面に表示される映像の一部が欠ける。この場合、内箱２の位置を高くすることにより、反射光が展示物５３により遮られることを防ぐことができる。
【００４９】
内箱２の高さを調整する方法を説明する。ユーザは、外箱３に対する内箱２の大まかな位置（高さ）を決定するために、全ての蝶ボルト４を引き抜き、内箱２を外箱３に対して垂直方向にスライドさせる。つまり、外箱３が内箱２をスライド可能に収納することで、外箱３がプロジェクタ１０に対する位置決め機構として機能する。そして、ユーザは、固定孔２２ｃの位置を、最寄りの調整孔３２ｂの位置に合わせたうえで、蝶ボルト４を挿入する。これにより、内箱２（プロジェクタ１０）の高さが変更される。
【００５０】
すべての蝶ボルト４を引き抜いた際に、ユーザが内箱２から手を放した場合、内箱２は、ショーケース５０の底面まで落下する。この結果、プロジェクタ１０が破損するおそれがある。このような事態を防ぐために、外箱３を構成する正面板３１、背面板３２、右側板３３、及び左側板３４のうち少なくとも一つの板の内側に、突起を設けることが望ましい。突起は、一番下の調整孔３２ｂよりもさらに下の位置に設けられる。例えば、一番下の調整孔３２ｂとは別の孔を背面板３２に形成し、この孔にボルトを外側から挿入すればよい。挿入されたボルトはナットにより固定される。ボルト及びナットにより構成される突起が、内箱２の落下を阻止することができる。
【００５１】
プロジェクタ１０及びミラー５が内箱２に取り付けられているため、内箱２の高さが変更されたとしても、プロジェクタ１０とミラー５との位置関係は変化しない。ミラー５がプロジェクタ１０と一体的に内箱２に固定されていることにより、プロジェクタ１０の高さを変えたとしても、ミラー５の位置の再調整が不要である。
【００５２】
図７は、内箱２の外箱３に対する高さの変化を示す図である。図７を参照して、左側のプロジェクタ用スタンド１は、内箱２の高さが最も低くなるように調整されている。つまり、図３に示す複数の調整孔３２ｂのうち、最も上にある調整孔３２ｂが上側の固定孔２２ｃと位置合わせされている。右側のプロジェクタ用スタンド１は、内箱２の高さが最も高くなるように調整されている。つまり、図３に示す複数の調整孔３２ｂのうち、最も下にある調整孔３２ｂが下側の固定孔２２ｃと位置合わせされている。
【００５３】
図５を参照して、プロジェクタ用スタンド１において、内箱２の高さは、最も低い位置に決定されている。内箱２の高さを変更することができるため、展示物５３が破線で示す大きさであっても、反射光が展示物５３により遮られることが防止される。
【００５４】
再び、図７を参照して、内箱２に収納されたプロジェクタ１０を破線で示す。内箱２（プロジェクタ１０）の高さが変更されても、プロジェクタ１０の上端からミラー５の下端までの距離Ｌが変化していない。つまり、ミラー５が、プロジェクタ１０と一体的に移動するため、プロジェクタ１０とは別にミラー５の高さを変更しなくてもよい。
【００５５】
なお、上記実施の形態において、プロジェクタ用スタンド１の使用方法として、ショーケース５０内に載置する場合を説明したが、これに限られない。反射光の進行方向に、スクリーンシート５４が貼り付けられた透明な板、あるいは、スクリーンシート５４と同じ素材の平面パネルを配置することにより、プロジェクタ１０から投影される映像を映し出すことができる。
【００５６】
上記実施の形態において、外箱３が内箱２をスライド可能に収納することにより、位置決め機構として機能する例を説明したが、これに限られない。例えば、プロジェクタ１０をフレーム部材に移動可能に取り付けてもよい。すなわち、プロジェクタ用スタンド１は、プロジェクタの垂直方向の高さを決定する位置決め機構を備えていればよい。
【００５７】
また、上記実施の形態において、ミラー５の角度をフリーストップヒンジ６により調整する例を説明したが、これに限られない。ミラー５の角度を変更し、変更後の角度を維持することができれば、ミラー５の取り付け方法は特に限定されない。つまり、プロジェクタ用スタンド１は、ミラー５の角度を調節することができればよい。
【００５８】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００５９】
１  プロジェクタ用スタンド
２  内箱
３  外箱
４  蝶ボルト
５  ミラー
６  フリーストップヒンジ
１０  プロジェクタ
２１，３１  正面板
２２，３２  背面板
２２ｃ  固定孔
２３，３３  右側板
２３ａ，２４ａ，３４ａ  換気孔
２４，３４  左側板
２５  上蓋
３２ｂ  調整孔
【図１】
2014149436.tif 000003
【図２】
2014149436.tif 000004
【図３】
2014149436.tif 000005
【図４】
2014149436.tif 000006
【図５】
2014149436.tif 000007
【図６】
2014149436.tif 000008
【図７】
2014149436.tif 000009